(57)【要約】【課題】液晶テレビやプラズマテレビ等の薄型テレビジョン受像機であって、利用者の視聴場所に応じて、ディスプレイパネルの回転位置（角度）や、映像の明るさ及び音量を自動的に変更可能で、利用者にとって最適な視聴状態を容易に実現できるテレビジョン受像機を提供する。【解決手段】スイベル機構を備えたテレビジョン受像機において、電源を投入されたときの時計手段からの時刻情報に基づいて、表示手段の位置が予め設定されている回転位置となるように回転駆動手段を制御するとともに、予め設定されている映像輝度、音量となるように調整するようにした。【選択図】図２
2008199449.tif 000002
【特許請求の範囲】
【請求項１】
映像を表示する表示手段と、前記表示手段を水平方向に回転させるためのスイベル機構を有する回転部材と、前記回転部材を駆動させる回転駆動手段と、前記回転駆動手段の動作を制御する駆動制御手段と、現在時刻を計時する時計手段と、を備えたテレビジョン受像機において、
視聴時間帯と、前記表示手段の第１の回転位置と前記第１の回転位置とは異なる第２の回転位置と、を対応させて設定可能な回転位置設定手段と、
視聴時間帯と前記表示手段に出力される映像の明るさとを対応させて設定可能な映像輝度設定手段と、
前記表示手段に出力される映像輝度を調整可能な輝度調整手段と、
音声出力手段と、
視聴時間帯と前記音声出力手段に出力される音量とを対応させて設定可能な音量設定手段と、
前記音声出力手段から出力される音量を調整可能な音量調整手段と、
を有し、
前記駆動制御手段は、電源が投入されたときに、前記時計手段からの時刻情報に基づいて、前記表示手段の回転位置が、前記第１の回転位置または前記第２の回転位置となるように前記回転駆動手段を制御し、
前記輝度調整手段は、前記時計手段からの時刻情報に基づいて、前記表示手段に出力される映像の輝度が、前記映像輝度設定手段によって設定されている輝度となるように調整し、
前記音量調整手段は、前記時計手段からの時刻情報に基づいて、前記音声出力手段から出力される音量が、前記音量設定手段によって設定されている音量となるように調整することを特徴とするテレビジョン受像機。
【請求項２】
映像を表示する表示手段と、前記表示手段を水平方向に回転させるためのスイベル機構を有する回転部材と、前記回転部材を駆動させる回転駆動手段と、前記回転駆動手段の動作を制御する駆動制御手段と、現在時刻を計時する時計手段と、を備えたテレビジョン受像機において、
視聴時間帯と前記表示手段の回転位置とを対応させて設定可能な回転位置設定手段を有し、
前記駆動制御手段は、前記時計手段からの時刻情報に基づいて、前記表示手段の回転位置が、前記回転位置設定手段によって設定されている回転位置となるように前記回転駆動手段を制御することを特徴とするテレビジョン受像機。
【請求項３】
前記回転位置設定手段は、前記表示手段の回転位置として、第１の回転位置と、前記第１の回転位置とは異なる第２の回転位置と、を設定され、
前記駆動制御手段は、前記時計手段からの時刻情報に基づいて、前記表示手段の回転位置が、前記第１の回転位置または前記第２の回転位置となるように前記回転駆動手段を制御することを特徴とする請求項２に記載のテレビジョン受像機。
【請求項４】
前記駆動制御手段は、電源が投入されたときに、前記時計手段からの時刻情報に基づいて前記回転駆動手段を制御することを特徴とする請求項２または３に記載のテレビジョン受像機。
【請求項５】
視聴時間帯と前記表示手段に出力される映像の明るさとを対応させて設定可能な映像輝度設定手段と、前記表示手段に出力される映像輝度を調整可能な輝度調整手段と、を備え、
前記輝度調整手段は、前記時計手段からの時刻情報に基づいて、前記表示手段に出力される映像の輝度が、前記映像輝度設定手段によって設定されている輝度となるように調整することを特徴とする請求項２から４の何れか一項に記載のテレビジョン受像機。
【請求項６】
音声出力手段と、視聴時間帯と前記音声出力手段に出力される音量とを対応させて設定可能な音量設定手段と、前記音声出力手段から出力される音量を調整可能な音量調整手段と、を備え、
前記音量調整手段は、前記時計手段からの時刻情報に基づいて、前記音声出力手段から出力される音量が、前記音量設定手段によって設定されている音量となるように調整することを特徴とする請求項２から５の何れか一項に記載のテレビジョン受像機。
【発明の詳細な説明】
【技術分野】
【０００１】
本発明は、液晶テレビやプラズマテレビ等の薄型テレビジョン受像機に係り、特に、ディスプレイパネルを水平方向に回転して、視聴する角度を変更可能なテレビジョン受像機に関する。
【背景技術】
【０００２】
近年、ブラウン管に比較して、奥行きが大きくなることなく大画面化が可能ということから、液晶ディスプレイ（ＬＣＤ：Liquid Crystal Display）やプラズマディスプレイ（ＰＤＰ：Plasma Display Panel）等のフラットディスプレイパネルを使用した薄型テレビジョン受像機が急速に普及してきている。
【０００３】
このような薄型テレビジョン受像機において、高精細な映像を十分に堪能するためには、画面を正面に位置させて視聴するのが最適とされる。例えば、液晶テレビでは、液晶パネルの特性上、画面を斜めから見ると視認性が低下するためである。
【０００４】
そこで、画面を水平方向に所定の角度（例えば、左右各３０°）だけ回転させて、視聴する角度を変更可能としたスイベル機構が提案されている。このスイベル機構は、テレビジョン受像機のディスプレイパネルを支持するスタンドに設けられたり、テレビジョン受像機本体を設置するテレビ台に設けられたりする。
【０００５】
また、スイベル機構に回転駆動手段を設け、リモコン装置からの遠隔操作により画面の角度を調整できるようにした技術も提案されている。例えば、利用者は、リモコン装置の左回転ボタン又は右回転ボタンを押下し続けることで画面を回転させることができ、操作ボタンを放すことで画面位置が確定されるようになっている。このようなスイベル機構により、利用者は比較的容易に画面の位置（角度）を調整できるので、最適なポジションで映像を楽しむことができる。
【０００６】
また、自動車搭載用の表示装置において、表示面への太陽光の映り込み及び反射を軽減する技術が開示されている（特許文献１）。具体的には、太陽の仰角（時間帯）に基づいて、表示部の設置角度を第１の角度と第２の角度に自動的に調整するものである。
【特許文献１】特開２００６−２９８０３６号公報
【発明の開示】
【発明が解決しようとする課題】
【０００７】
ところで、比較的大画面のディスプレイパネルを備えたテレビジョン受像機は、例えば、リビングダイニング等の比較的広い空間に設置されることが予想できる。この場合、利用者の視聴場所はリビングとダイニングの２箇所におおむね限定され、時間帯によって利用者の居場所をある程度想定することもできる（例えば、昼間はダイニングで、夕方〜夜間はリビングで視聴することが多い）。
【０００８】
しかしながら、上述したように、利用者の視聴場所が容易に想定できる場合であっても、従来のスイベル機構を備えたテレビジョン受像機では、利用者がリモコン装置を操作する必要があった。また、利用者の視聴場所に応じて、映像の明るさや音量は調整されるのが望ましいが、これを実現するための技術も提案されていない。
【０００９】
一方、特許文献１には、表示部の設置角度を自動的に調整する技術が開示されているが、この技術は、太陽の仰角の変化に基づいて生じる太陽光の映り込み及び反射を防止するものであり、車載用表示装置において有効なものといえる。
【００１０】
つまり、屋内のリビングダイニング等に設置されるテレビジョン受像機においては、太陽光の映り込みや反射の状態が時間帯によって変化することは少ない。したがって、特許文献１に記載の技術をテレビジョン受像機に適用することは、容易に想到できるものではないと考えられる。
【００１１】
また、特許文献１に記載の技術は、太陽の仰角に基づいて表示部の設置角度を自動的に調整するものであり、利用者の視聴場所を予測して表示部の設置角度を調整するものではない。つまり、特許文献１に記載の車載用表示装置においては、表示部の設置角度が若干変更されても利用者のほぼ正面になることは容易に予想できるし、車内では利用者の視聴場所も変化しないことは容易に予想できるため、利用者の視聴場所を考慮する必要はないためである。
【００１２】
このように、従来は、利用者の視聴場所を判断して、自動的に画面の回転位置（回転角度）を変更するようにしたテレビジョン受像機は提供されていない。
【００１３】
本発明は、液晶テレビやプラズマテレビ等の薄型テレビジョン受像機であって、利用者の視聴場所に応じて、ディスプレイパネルの回転位置（角度）や、映像の輝度（明るさ）及び音量を自動的に変更可能で、利用者にとって最適な視聴状態を容易に実現できるテレビジョン受像機を提供することを目的とする。
【課題を解決するための手段】
【００１４】
本発明は、上記目的を達成するため、映像を表示する表示手段と、前記表示手段を水平方向に回転させるためのスイベル機構を有する回転部材と、前記回転部材を駆動させる回転駆動手段と、前記回転駆動手段の動作を制御する駆動制御手段と、現在時刻を計時する時計手段と、を備えたテレビジョン受像機において、視聴時間帯と前記表示手段の回転位置とを対応させて設定可能な回転位置設定手段を有し、前記駆動制御手段は、前記時計手段からの時刻情報に基づいて、前記表示手段の回転位置が、前記回転位置設定手段によって設定されている回転位置となるように前記回転駆動手段を制御することを特徴とする。これにより、時間帯によって変化する利用者の視聴場所をある程度想定することで、表示手段を最適な回転位置に調整することができる。
【００１５】
なお、回転位置設定手段とは、例えば、時間帯情報に表示手段の回転位置情報を対応させて記憶させたメモリ等の記憶手段である。なお、回転位置設定手段に格納される時間帯情報や回転位置情報は、例えば、利用者がリモコン装置を操作することによって手動で入力させることができるようにする。
【００１６】
また、前記回転位置設定手段は、前記表示手段の回転位置として、第１の回転位置と、前記第１の回転位置とは異なる第２の回転位置と、を設定され、前記駆動制御手段は、前記時計手段からの時刻情報に基づいて、前記表示手段の回転位置が、前記第１の回転位置または前記第２の回転位置となるように前記回転駆動手段を制御するようにした。これにより、テレビジョン受像機が、例えば、リビングダイニング等の比較的広い空間に設置され、利用者の視聴場所はリビングとダイニングの２箇所におおむね限定される場合に、効率よく対応できる。
【００１７】
また、前記駆動制御手段は、電源が投入されたときに、前記時計手段からの時刻情報に基づいて前記回転駆動手段を制御するようにした。つまり、電源が投入された後（すなわち、視聴中と判断できるとき）は、表示手段の回転位置を変更させる時刻が到来したときでも、回転位置を変更させないようにした。これにより、すでに表示手段の回転位置を調整済みであるにもかかわらず、回転位置が変更され、利用者の視聴態様が著しく変化するという不具合を防止できる。
【００１８】
逆に、電源投入時の時刻に基づいて表示手段の回転位置を調整された後に、利用者が手動で表示手段の回転位置を変更させることはできるようにしてもよい。
【００１９】
さらに、視聴時間帯と前記表示手段に出力される映像の明るさとを対応させて設定可能な映像輝度設定手段と、前記表示手段に出力される映像輝度を調整可能な輝度調整手段と、を備え、前記輝度調整手段は、前記時計手段からの時刻情報に基づいて、前記表示手段に出力される映像の輝度が、前記映像輝度設定手段によって設定されている輝度となるように調整するようにした。
【００２０】
またさらに、音声出力手段と、視聴時間帯と前記音声出力手段に出力される音量とを対応させて設定可能な音量設定手段と、前記音声出力手段から出力される音量を調整可能な音量調整手段と、を備え、前記音量調整手段は、前記時計手段からの時刻情報に基づいて、前記音声出力手段から出力される音量が、前記音量設定手段によって設定されている音量となるように調整するようにした。
【００２１】
これにより、視聴時刻に応じて、映像の輝度及び音量は自動的に変更されるので、利用者にとって最適な視聴状態を容易に実現できる。例えば、照明が使用されない昼間と照明が使用される夜間とでは、夜間の方の映像輝度を明るくするのが望ましい。また、夜間は周囲の環境が昼間に比べて静寂となるので、音量を小さくするのが望ましい。
【発明の効果】
【００２２】
本発明によれば、スイベル機構を備えたテレビジョン受像機において、電源を投入されたときに時計手段から取得される時刻情報に基づいて、表示手段の回転位置が予め設定されている回転位置となるように回転駆動手段を制御するので、利用者は表示手段の回転位置をわざわざ調整しなくても、所望の回転位置となっていることを期待できる。
【００２３】
特に、視聴時間帯によって利用者の視聴場所をある程度想定できる場合には、表示手段を最適な位置に調整できる可能性が極めて高くなる。
【発明を実施するための最良の形態】
【００２４】
以下、本発明の実施の形態を図面に基づいて説明する。
図１は、本実施形態に係るテレビジョン受像機１００の外観斜視図である。
テレビジョン受像機１００は、ディスプレイパネル１５が、底板２３に立設されたスタンド２４の上部に取り付けられて構成される。
【００２５】
ディスプレイパネル１５は、例えば、液晶ディスプレイ（ＬＣＤ）やプラズマディスプレイ（ＰＤＰ）等からなる薄型フラットパネルである。このディスプレイパネル１５は、スイベル機構を有する図示しない回転部材に載置された状態で固定され、回転部材がスタンド２４の上部先端に取り付けられる。このような構成により、ディスプレイパネル１５を水平方向に所定の角度だけ回転させることができる。
【００２６】
なお、テレビジョン受像機に利用されるスイベル機構は公知であり、本実施形態においても従来のスイベル機構を利用することができるので、ディスプレイパネル１５と回転部材、およびスタンド２４の取り付け態様についての説明は省略する。
【００２７】
本実施形態では、スイベル機構を有する回転部材は後述する回転駆動部（例えば、モータ）１９に接続されており、リモコン装置を利用した遠隔操作により利用者がディスプレイパネル１５を回転させることができるようになっている。
【００２８】
また、さらに所定条件の成立（例えば、電源投入時の現在時刻）に基づいて、ディスプレイパネル１５が所定の回転位置となるように自動的に位置調整されるようになっている。
【００２９】
図２は、本実施形態に係るテレビジョン受像機１００の全体構成を示すブロック図である。
本実施形態のテレビジョン受像機１００は、アンテナ１１と、チューナ１２と、信号処理回路１３と、デコーダ１４と、ディスプレイパネル１５と、スピーカ１６と、入力部１７と、制御部１８と、回転駆動部１９と、ＲＴＣ（リアルタイムクロック：時計手段）２０と、メモリ２１と、を備えて構成される。特に、制御部１８と、回転駆動部１９と、ＲＴＣ２０と、メモリ２１とで自動スイベル回路が構成される。
【００３０】
具体的には、チューナ１２は、アンテナ１１を介してテレビジョン放送信号（例えば、地上ディジタル放送、ＢＳディジタル放送、ＣＳディジタル放送）を選択的に受信する。
【００３１】
信号処理回路１３は、チューナ１２で受信した放送信号を復調するとともに、復調された放送信号を、コンテンツ情報（具体的には、映像データと音声データ）と番組情報に分離する。分離されたコンテンツ情報はデコーダ１４に供給される。一方、分離された番組情報は、例えば、ＥＰＧ生成部（図示略）に供給され、電子番組ガイドを生成するのに利用される。
【００３２】
デコーダ１４は、信号処理回路１３から供給されたコンテンツ情報を復号化して映像信号および音声信号を生成する。復号化された映像信号は表示手段としてのディスプレイパネル１５に出力され、復号化された音声信号は音声出力手段としてのスピーカ１６に出力される。
【００３３】
入力部１７は、例えば、複数の操作ボタンを備えたリモコン装置や本体に設けられた操作パネルであり、この入力部１７からの入力信号に基づいて、チャンネル変更や映像輝度の調整、音量調整が実行される。また、本実施形態では、入力部１７は、ディスプレイパネル１５の回転位置を調整する操作ボタンを有する。
【００３４】
利用者は、例えば、入力部１７の左回転ボタン又は右回転ボタンを押下することでディスプレイパネル１５（回転部材）を回転させることができ、操作ボタンを放したときに回転位置が確定されることとなる。
【００３５】
回転駆動部１９は、例えば、モータで構成され、駆動制御手段としての制御部１８からの制御信号に基づいて駆動量を制御され、ディスプレイパネル１５を所定の角度だけ回転させる。ＲＴＣ（リアルタイムクロック）２０は、現在時刻を計時する時計手段であり、制御部１８に現在の時刻情報を供給する。
【００３６】
メモリ２１には、時間帯情報とディスプレイパネル１５の回転位置情報とが関連付けられて格納されている（回転位置設定手段）。また、メモリ２１には、時間帯情報とディスプレイパネル１５に出力する映像の輝度情報とが関連付けられて格納されている（映像輝度設定手段）。さらに、メモリ２１には、時間帯情報とスピーカ１６に出力する音声の音量情報とが関連付けられてい格納されている（音量設定手段）。
【００３７】
なお、このメモリ２１に格納される時間帯情報、回転位置情報、輝度情報、および音量情報は、例えば、入力部１７を操作することによって手動で入力することができる。
【００３８】
制御部１８は、例えば、入力部１７からの入力信号に基づいて、ＲＯＭに格納されている制御プログラム等を実行し、テレビジョン受像機１００の各ブロックを駆動制御する。  
【００３９】
本実施形態では、制御部１８は、テレビジョン受像機１００の電源が投入されたときに、ＲＴＣ２０から時刻情報を取得し、これに基づいて、ディスプレイパネル１５の回転位置がメモリ２１に設定されている回転位置となるように回転駆動部１９の動作を制御する（駆動制御手段）。すなわち、現在の時刻情報から利用者の視聴場所を予測し、ディスプレイパネル１５を最適な回転位置に調整する。
【００４０】
さらに、制御部１８は、テレビジョン受像機１００の電源が投入されたときに、ＲＴＣ２０から時刻情報を取得し、これに基づいて、ディスプレイパネル１５に出力される映像の輝度（明るさ）を調整する（輝度調整手段）。また、制御部１８は、テレビジョン受像機１００の電源が投入されたときに、ＲＴＣ２０から時刻情報を取得し、これに基づいて、スピーカ１６から出力される音量を調整する（音量調整手段）。
【００４１】
上述した構成により、本実施形態のテレビジョン受像機１００は、時間帯によって利用者の視聴場所をある程度想定することができ、ディスプレイパネル１５を最適な位置に調整するとともに、映像輝度および音量が最適な状態となるように調整できるようにしている。
【００４２】
例えば、テレビジョン受像機１００が、リビングダイニング等の比較的広い空間に設置され、利用者の視聴場所がリビングとダイニングの２箇所におおむね限定される場合に効率よく対応できる。
【００４３】
つまり、テレビジョン受像機１００が、図３に示すような位置に設置された場合は、ダイニングで食事をする可能性の高い時間帯を第１の時間帯とし、リビングで寛ぐ可能性の高い時間帯を第２の時間帯とすることで、利用者の視聴場所を想定した適切な制御が可能となるからである。
【００４４】
図４は、メモリ２１に格納される各種情報の対応関係の一例を示す説明図である。
図４では、ダイニングで食事をする可能性の高い第１の時間帯として、例えば、７：００〜１０：００（朝）、１６：００〜１９：００（夕方）を設定し、リビングで寛ぐ可能性の高い第２の時間帯として、例えば、１０：００〜１６：００（昼）、１９：００〜７：００（夜間）を設定している。
【００４５】
そして、ダイニングで食事をする可能性の高い第１の時間帯にはディスプレイパネル１５がダイニングに配置されたテーブルを向く位置（ｂ）となるように第１の回転位置を設定し、リビングで寛ぐ可能性の高い第２の時間帯にはディスプレイパネル１５がリビングに配置されたソファーを向く位置（ａ）となるように第２の回転位置を設定している。
【００４６】
また、第１の時間帯にはディスプレイパネル１５で出力される映像輝度が明るめとなるように第１の輝度を設定し、第２の時間帯にはディスプレイパネル１５で出力される映像輝度が暗めとなるように第２の輝度を設定している。また、第１の時間帯にはスピーカ１６から出力される音声の音量が大きめとなるように第１の音量を設定し、第２の時間帯にはスピーカ１６から出力される音声の音量が小さめとなるように第２の音量を設定している。
なお、図４に示す各種情報の設定値は一例であり、適宜変更することができる。例えば、利用者がリモコン装置を操作することによって手動で入力できるようにする。
【００４７】
図５は、制御部１８で実行される自動スイベル処理について示したフローチャートである。図５では、一例として、メモリ２１に図４に示す対応関係で各種情報が格納されている場合について示している。
【００４８】
まず、ステップＳ１０１で、テレビジョン受像機１００の電源が投入されたか判定し、電源が投入されたと判定した場合はステップＳ１０２に移行して、ＲＴＣ２０から現在の時刻情報を取得する。
【００４９】
次いで、取得した時刻情報に基づいて、現在時刻が第１の時間帯であるか判定する（ステップＳ１０３）。ＲＴＣ２０から取得した時刻情報が、例えば、８：００であった場合には図４から第１の時間帯であると判定し、１２：００であった場合には図４から第２の時間帯であると判定する。
【００５０】
ステップＳ１０３で、現在時刻が第１の時間帯であると判定した場合は、第１の回転位置（ｂ）となるように回転駆動する（ステップＳ１０４）。すなわち、ディスプレイパネル１５は、ダイニングを向くように調整される。さらに、映像輝度を第１の輝度（明るめ）に調整するとともに、音量を第１の音量（大き目）に調整する（ステップＳ１０５）。
【００５１】
一方、ステップＳ１０３で、現在時刻が第１の時間帯でない（第２の時間帯である）と判定した場合は、第２の回転位置（ａ）となるように回転駆動する（ステップＳ１０６）。すなわち、ディスプレイパネル１５は、リビングを向くように調整される。さらに、映像輝度を第２の輝度（暗め）に調整するとともに、音量を第２の音量（小さめ）に調整する（ステップＳ１０７）。
【００５２】
本実施形態では、時間帯を朝・昼・夕方・夜間で区分し、それぞれ時分を用いて第１の時間帯と第２の時間帯として設定したが、時間帯をさらに細分化して、より適切にディスプレイパネル１５の回転位置を設定するようにしてもよい。
【００５３】
上述したテレビジョン受像機１００によれば、時間帯によって利用者の視聴場所をある程度想定できる場合に、高い確率でディスプレイパネル１５が最適な回転位置となるように調整することができる。
【００５４】
また、図５に示すように、本実施形態では、電源投入時にディスプレイパネル１５の回転位置や、映像輝度および音量を調整するようにしているが、言い換えると、電源が投入された後、すなわち、テレビジョン受像機を視聴中であると判断できるときは、ディスプレイパネル１５の回転位置を変更させる時刻（例えば、第１の時間帯と第２の時間帯の境界）が到来しても、回転位置を変更させない。これにより、すでにディスプレイパネル１５は調整された回転位置（利用者により調整された場合も含む）となっているにもかかわらず、回転位置が勝手に変更され、最適な視聴状態が妨げられるのを回避できる。
【００５５】
また、電源投入時に実行される自動スイベル処理によりディスプレイパネル１５の回転位置を調整された場合でも、その後、利用者が手動でディスプレイパネル１５の回転位置を変更できるようにするのが望ましい。
【００５６】
以上、本発明者によってなされた発明を実施形態に基づいて具体的に説明したが、本発明は上記実施形態に限定されるものではなく、その要旨を逸脱しない範囲で変更可能である。
【００５７】
上記実施形態では、予めメモリ２１に時間帯情報に対応して、回転位置情報、映像輝度情報、音量情報を設定しているが、これらの情報は適宜変更可能としてもよい。
【００５８】
例えば、回転位置設定手段としてのメモリ２１は、実際の視聴時に設定された回転位置を蓄積し、この蓄積された情報に基づいて、視聴時間帯に対応する表示手段の回転位置を自動的に設定するようにしてもよい。具体的には、時間帯ごとに、実際の視聴時の回転位置を管理し、例えば、直近の１ヶ月の傾向に基づいて設定する。
【００５９】
同様に、メモリ２１は、映像輝度設定手段、音量設定手段として、実際の視聴態様を蓄積し、蓄積情報に基づいて、視聴時間帯に対応する映像輝度および音量を自動的に設定するようにしてもよい。
【００６０】
また、上記実施形態では、テレビジョン受像機の電源投入時にディスプレイパネル１５の回転位置、映像輝度および音量を調整するようにしているが、映像輝度と音量は、時計手段からの時刻情報に基づいて、視聴中に変更されるようにしてもよい。つまり、映像輝度および音量は時間帯によって変更したほうが望ましい場合があるからである。この場合、時間帯に対応する輝度情報や音量情報は絶対値で規定してもよいが、現在の視聴状態を基準とした相対値で規定するようにしてもよい（例えば、輝度を所定量上げる／下げる、音量を所定量上げる／下げる等）。
【００６１】
また、上記実施形態では、第１の時間帯と第２の時間帯を設定し、それぞれの時間帯に応じて、ディスプレイパネル１５の回転位置、映像輝度、および音量を調整するようにしたが、ディスプレイパネル１５の回転位置、映像輝度、および音量を、それぞれ異なる時間帯に対応させるように設定してもよい。
【００６２】
さらに、利用者の視聴場所が３以上となる場合にも、さらに時間帯を増加して、視聴時間帯とディスプレイパネル１５の回転位置、映像輝度、および音量とを対応させて設定すればよい。
【図面の簡単な説明】
【００６３】
【図１】本実施形態に係るテレビジョン受像機１００の外観斜視図である。
【図２】本実施形態に係るテレビジョン受像機１００の全体構成を示すブロック図である。
【図３】本実施形態のテレビジョン受像機１００の設置例を示す説明図である。
【図４】メモリ２１に格納される各種情報の対応関係の一例を示す説明図である。
【図５】制御部１８で実行される自動スイベル処理について示したフローチャートである。
【符号の説明】
【００６４】
１１  アンテナ
１２  チューナ
１３  信号処理回路
１４  デコーダ
１５  ディスプレイパネル
１６  スピーカ
１７  入力部
１８  制御部（駆動制御手段、輝度調整手段、音量調整手段）
１９  回転駆動部（回転駆動手段）
２０  ＲＴＣ（時計手段）
２１  メモリ（回転位置設定手段、映像輝度設定手段、音量設定手段）
１００  テレビジョン受像機
【図１】
2008199449.tif 000003
【図２】
2008199449.tif 000004
【図３】
2008199449.tif 000005
【図４】
2008199449.tif 000006
【図５】
2008199449.tif 000007